(57)【要約】【課題】本考案は、パネル等の板状起立具の設置時、収納時とも脚部の回動操作が不可欠であり、煩雑な労力を必要としない脚構造を提供するものである。【解決手段】本考案の脚構造は、パネル２の底部に任意個数配置され、設置面上に前記パネル２を起立させる脚構造において、前記パネル２の底部に装着した止め具３と、この止め具３により前記パネル２の厚さ方向に各々開閉可能に支持された一対の脚部１、１とを有し、パネル２の設置面への設置時にはパネル２の重さで一対の脚部１、１を開状態としてパネル２を起立支持し、パネル２の設置面からの除去時には一対の脚部１、１自体の自重で閉状態とするものである。【選択図】図１
0003102603.tif 000002
【実用新案登録請求の範囲】
【請求項１】
板状起立具の底部に任意個数配置され、設置面上に前記板状起立具を起立させる脚構造において、
前記板状起立具の底部に装着した止め具と、
この止め具により前記板状起立具の厚さ方向に各々開閉可能に支持された一対の脚部と、
を有し、
板状起立具の設置面への設置時には板状起立具の重さで一対の脚部を開状態として板状起立具を起立支持し、板状起立具の設置面からの除去時には一対の脚部自体の自重で閉状態とすることを特徴とする板状起立具の脚構造。
【請求項２】
板状起立具の底部に配置され、設置面上に前記板状起立具を起立させる脚構造において、
前記板状起立具の底部に設けた脚部支持部と、
この脚部支持部により前記板状起立具の厚さ方向に各々開閉可能に支持された一対の脚部と、
を有し、
板状起立具の設置面への設置時には板状起立具の重さで一対の脚部を開状態として板状起立具を起立支持し、板状起立具の設置面からの除去時には一対の脚部自体の自重で閉状態とすることを特徴とする板状起立具の脚構造。
【請求項３】
前記一対の脚部は、各々その突出端側に転動用のローラを備えることを特徴とする請求項１又は２記載の板状起立具の脚構造。
【請求項４】
前記一対の脚部は、止め具に対して２軸又は１軸で支持されていることを特徴とする請求項１又は３記載の板状起立具の脚構造。
【請求項５】
板状起立具の底部に任意個数配置され、設置面上に前記板状起立具を起立させる脚構造において、
前記板状起立具の底部に装着した止め具と、
この止め具により前記板状起立具の厚さ方向に開閉可能に支持された脚部と、  前記止め具と一体で開状態の前記脚部と対称形状に形成した固定脚部と、
を有し、
板状起立具の設置面への設置時には板状起立具の重さで前記脚部を開状態としてこの脚部と前記固定脚部とにより板状起立具を起立支持することを特徴とする板状起立具の脚構造。
【考案の詳細な説明】
【技術分野】
【０００１】
本考案は、フェンスのような板状起立具の脚構造に関し、詳しくは看板・案内板・パーテェション或いはスポーツ競技でプレー領域と観客・通路などを仕切るためのフェンス等（これらを総称して以下「板状起立具」という）を効率良く設置・収納するための脚構造に関するものである。
【背景技術】
【０００２】
従来、この種のフェンス等を床上に設置する場合にあっては、一般的に設置面と接する部分に脚構造を設けて起立させるか、或いはフェンス等を台車等に積載し収納可能なものとする場合、脚構造を収納式にする等の工夫を加えたものがある。
【０００３】
例えば図１０に示すように、板状起立具の一種であるパネル５０の底部に、一対の回動可能な棒状又は直方体状の脚部５１、５１を設け、パネル５０を収納する場合にはパネル５０を持ち上げ、脚部５１、５１を矢印の方向に回動させて、脚部５１、５１をパネル５０と同方向とし、パネル５０を床面等の設置面上に設置する際には、脚部５１、５１を収納時とは逆方向に回動させ、脚部５１、５１をパネル５０と直交する方向として、脚部５１、５１によりパネル５０を起立支持するようにしたものが知られている。
【０００４】
しかし、図１０に示す脚構造の場合においては、収納時、設置時ともに脚部５１、５１の回動操作が不可欠であり、煩雑な労力を必要とするのが現状である。
【０００５】
また、特許文献１には、パネルの下部面に出没自在に且つ回動可能に支持部を収納し、工具等を用いずに前記支持部によりパネルの下部を起立支持するように構成したパネルの起立機構が開示されている。
【０００６】
しかし、この起立機構の場合も、支持部の回動操作が不可欠であり、煩雑な労力を必要とする。
【特許文献１】特開平１１−１６６２７８号公報
【考案の開示】
【考案が解決しようとする課題】
【０００７】
解決しようとする問題点は、パネル等の板状起立具の設置時、収納時とも脚部の回動操作が不可欠であり、煩雑な労力を必要とする点である。
【課題を解決するための手段】
【０００８】
本考案は、板状起立具の底部に任意個数配置され、設置面上に前記板状起立具を起立させる脚構造において、前記板状起立具の底部に装着した止め具と、この止め具により前記板状起立具の厚さ方向に各々開閉可能に支持された一対の脚部とを有し、板状起立具の設置面への設置時には板状起立具の重さで一対の脚部を開状態として板状起立具を起立支持し、板状起立具の設置面からの除去時には一対の脚部自体の自重で閉状態とすることを最も主要な特徴とするものである。
【０００９】
前記止め具に代えて、板状起立具の底部に設けた脚部支持部により一対の脚部を開閉可能に支持する構成としたり、一対の脚部の各々の突出端側に転動用のローラを備える構成としたり、一対の脚部を止め具により２軸又は１軸で支持したり、更には、止め具により一つの脚部を板状起立具の厚さ方向に開閉可能に支持するとともに、止め具と一体に前記脚部と対称形状の固定脚部を設ける構成とすることもできる。
【考案の効果】
【００１０】
本考案によれば、収納時には板状起立具を持ち上げることにより一対の脚部が自重で自動的に閉じて収納可能となり、また設置の際は板状起立具を設置面に置くだけで、一対の脚部が開き安定した状態で板状起立具を起立支持することが可能となって、従来例のような煩雑な脚部の回動操作を不要とし、労力を軽減することができる。
【考案を実施するための最良の形態】
【００１１】
板状起立具の設置時、収納時とも脚部の回動操作を不要とし労力を軽減するという目的を、板状起立具の底部に装着した止め具に対して、前記板状起立具の厚さ方向に各々開閉可能に一対の脚部を取り付け、板状起立具の重さにて一対の脚部を開状態、一対の脚部の自重にて閉状態とする構成で実現した。
【実施例】
【００１２】
以下に本考案の実施例を図面に基づいて詳述する。
【００１３】
（実施例１）
図１は、底部に本実施例の脚構造を備えた板状起立具である矩形のパネル２を示すものである。
本実施例１の脚構造は、図２、図３に拡大して示すように、パネル２の底部に装着される止め具３と、この止め具３によりピン４、ピン５からなる２軸構成で図２に示す矢印方向（パネル２の厚さ方向）に各々対称配置で回動可能に支持される一対の側面略く状に形成した脚部１、脚部１とを有している。
【００１４】
前記止め具３は、パネル２の底部に嵌着可能な嵌着凹部２ａを備えるとともに、嵌着凹部２ａの下側には中央仕切片２ｂを下方に向けて形成し、この中央仕切片２ｂの両側において前記一対の脚部１、脚部１の各基端部をピン４、ピン５を用いて各々前記パネル２の厚さ方向に開閉可能に支持している。
【００１５】
前記脚部１の基端部側の一方の壁面１０は、傾斜形状に形成され、脚部１が開状態のとき前記止め具３の嵌着凹部２ａの外底面である受面９に接合して、脚部１の開く限度を設定するようになっている。また、脚部１の基端部側の前記壁面１０とは反対側の壁面は、脚部１が閉状態（垂れ下がった状態）のとき前記中央仕切片２ｂの壁面に接触するようになっている。
【００１６】
上記構成の本実施例１の脚構造を備えたパネル２によれば、パネル２を床面等に設置する際に、このパネル２を設置面に置くだけの簡略な操作で、一対構成の脚構造における各脚部１、１が、各々パネル２の重さで前記ピン４、５を支軸として外側に開き、パネル２を図１に示すように、安定した状態で起立させることができる。このとき、前記壁面１０が前記受面９に接合して、脚部１は開く限度位置となる。
【００１７】
また、パネル２を設置面から除去し、収納する際には、パネル２の設置面からの簡便な除去動作と連動して、前記各脚部１、１が各々自重で自動的に閉状態（垂れ下がった状態）になり、これによりパネル２の収納スペースの削減を図れる。
【００１８】
前記脚部１の形状、壁面１０、受面９の位置、開く限度の設定の方法又脚部１の動きを制御・抑止する手法は特に問わない。これはパネル２の重量、形状、使用用途等により強度、大きさ、製造方法、コスト等を加味し決定すればよいものである。
【００１９】
前記脚部１の動きを制御・抑止する手法とは、例えば本実施例１の場合、パネル２は比較的軽量な物を想定しているが、重量物を使用するにあたっては、脚部１が設置面に接してから、開ききってパネル２が起立した状態に至るまでの間、脚部１にパネル２の重量が負荷されることになる。この場合、例えば受面９又は壁面１０の部分に、ゴム、バネ等による衝撃吸収材を配置することで、パネル２の重量を吸収し、脚部１の破損、故障を防止し又は最小限に抑えることが可能となる。
【００２０】
また、上記以外の方法として、脚部１、止め具３、ピン４、ピン５の任意の部材、或いは複数の部材を接続する位置に、ばね等を組み込むことによりその動きを制御することも可能である。特に、脚部１、１を各々コイルばねを用いて閉方向に付勢する構成とすれば、パネル２の除去、収納時の脚部１、１の閉動作が迅速化する。
【００２１】
これらは既述したとおり、パネル２の重量、形状、用途等により強度・大きさ・製造方法・コスト等を加味し決定すればよいものであるから、特にその方法は限定しない。
【００２２】
いずれにしても、本考案を実施するにあたって重要であることは、設置面に脚部１、１が接触し始めた時点、又はパネル２の重量が加わった時点より、脚部１、１が各々パネル２の両側に開く構造とすることにある。
【００２３】
前記パネル２は、用途によりその材質形状は限定しないものであるから、止め具３はパネル２を確実に保持することが可能な形状を各々考慮した形状とすることができる。
【００２４】
例えば図４は、本実施例１の止め具３の変形例を示すものであり、パネル２に該当する部分にパイプ２１等の材料を用いる場合には、前記嵌着凹部２ａに代えて円弧状の嵌着凹部２ｃを設けた止め具３Ａを用いればよい。
なお、この場合の板状起立具としては、図示していないが、例えばパイプ２１を矩形状に連結し、ネットを張った構造とする例を挙げることができる。
【００２５】
（実施例２）
次に、図５を参照して本考案の実施例２について説明する。
【００２６】
図５に示す実施例２の脚構造は、実施例１の脚構造と基本的には同様な構造であるが、ピン６を用いて１軸構造で脚部１、１を開閉可能に支持するような止め具３Ａを採用したことが特徴である。パネル２に実施例２の脚構造を備えた構成によっても、実施例１の場合と同様な作用、効果を発揮させることができる。
【００２７】
また、この場合、図６に示すように、脚部１、１、止め具３Ａに各々実施例１の場合と同様な壁面１０、受面９を設けるとともに、脚部１、１の互いに対向する対向壁面に、各々当接突部７、８を設け、各脚部１、１が各々自重で自動的に閉状態（垂れ下がった状態）となった際に当接突部７、８を接触させて脚部１、１の閉状態の位置規制を行う構成とすることができる。
更に、止め具３Ａの内部に適当なバネ用の空間部を設けておき、ピン６の回りに脚部１、１を各々閉じる方向に付勢するコイル状のバネ１６（図６に点線で示す）を配置し、脚部１、１の閉動作を速やかに行うようにすることもできる。
【００２８】
（実施例３）
次に、図７を参照して本考案の実施例３について説明する。
【００２９】
図７に示す実施例３の脚構造は、前記止め具３に代えて、パネル２の底部にこのパネル２と一体の脚部支持部１５を設け、脚部支持部１５により脚部１、１を開閉可能に支持するように構成したことが特徴である。
【００３０】
パネル２に実施例３の脚構造を備えた構成によっても、実施例１の場合と同様な作用、効果を発揮させることができる。
【００３１】
（実施例４）
次に、図８を参照して本考案の実施例４について説明する。
【００３２】
図８に示す実施例４の脚構造は、前記実施例１の脚構造の構成に加えて、脚部１、１の突出端側に各々設置面上を転動するローラ１２、１２を組み込んだことが特徴である。
【００３３】
本考案により製作されたパネル２等の製品を使用するにあたっては、地面、コンクリート、樹脂素材、木質、畳等様々な設置面が考えられるため、脚部１の材質は設置面に対し極力抵抗の無い材質であることが望ましい。脚部１は、特に材質を限定するものではないが、妥当な材質が無い場合において実施例４の脚構造を採用することで、ローラ１２、１２の転動作用が付加され、脚部１、１におけるパネル２の設置時の開動作、撤去時の閉動作が円滑化されるとともに、パネル２の移動作業も円滑化される利点がある。この実施例４の脚構造は、実施例１の脚構造の他、実施例２、３の脚構造にも各々適用可能である。
【００３４】
（実施例５）
次に、図９を参照して本考案の実施例５について説明する。
【００３５】
図９に示す実施例５の脚構造は、止め具３に設けたピン１３により一個の脚部１を前記パネル２の厚さ方向に開閉可能に支持するとともに、止め具３と一体で開状態の前記脚部１と対称形状に形成した固定脚部１４を設けたことが特徴である。
【００３６】
実施例５においては、パネル２の設置面への設置時には、パネル２の重さで前記脚部１を開状態としてこの脚部１と前記固定脚部１４とによりパネル２を起立支持するものである。この実施例５の脚構造は、パネル２の収納時のスペースを考慮しなくてもよく、且つ、パネル２の安定した起立支持状態を得たい場合に好適である。
【産業上の利用可能性】
【００３７】
本考案は、看板・案内板・パーテェション或いは卓球等のスポーツ競技でプレー領域と観客・通路等を仕切るためのフェンス等に適用して好適である。
【図面の簡単な説明】
【００３８】
【図１】本考案の実施例１の脚構造による板状起立具の支持状態を示す斜視図である。
【図２】本実施例１の脚構造の部分透視図である。
【図３】本実施例１の脚構造の拡大説明図である。
【図４】本実施例１の脚構造の変形例を示す斜視図である。
【図５】本考案の実施例２の脚構造の斜視図である。
【図６】本考案の実施例２の脚構造の拡大説明図である。
【図７】本考案の実施例３の脚構造の斜視図である。
【図８】本考案の実施例４の脚構造の斜視図である。
【図９】本考案の実施例５の脚構造の断面図である。
【図１０】従来の脚構造によるパネルの支持状態を示す斜視図である。
【符号の説明】
【００３９】
１    脚部
２    パネル
２ａ  嵌着凹部
２ｂ  中央仕切片
２ｃ  嵌着凹部
３    止め具
３Ａ  止め具
４    ピン
５    ピン
６    ピン
７    当接突部
８    当接突部
９    受面
１０    壁面
１２    ローラ
１３    ピン
１４    固定脚部
１５    脚部支持部
１６    バネ
２１    パイプ
【図１】
0003102603.tif 000003
【図２】
0003102603.tif 000004
【図３】
0003102603.tif 000005
【図４】
0003102603.tif 000006
【図５】
0003102603.tif 000007
【図６】
0003102603.tif 000008
【図７】
0003102603.tif 000009
【図８】
0003102603.tif 000010
【図９】
0003102603.tif 000011
【図１０】
0003102603.tif 000012